(57)【要約】【課題】カプセル容器本体の厚みを増やしても、小径の市販のフックを使用出来る物を提供する。【解決手段】ほぼ扁平形状で内部に蓄熱材を収容可能な密閉空間を形成するカプセル容器本体２を設け、カプセル容器本体２の一端部で、表側の第１表面から裏側の第２表面に亘って貫通するフックの係止可能な貫通孔７を設け、第１表面か第２表面の少なくとも一方の一端部で、その一端縁にまで続く第１凹部８を設け、第１凹部８に貫通孔７を設け、第１凹部８の一端部において、第１表面又は第２表面の横方向における幅を狭める突出部１０を設けてある。【選択図】図３
2018044706.tif 000002
【特許請求の範囲】
【請求項１】
ほぼ扁平形状で内部に蓄熱材を収容可能な密閉空間を形成するカプセル容器本体を設け、
前記カプセル容器本体の一端部で、表側の第１表面から裏側の第２表面に亘って貫通するフックの係止可能な貫通孔を設けてある蓄熱カプセルであって、
前記第１表面か前記第２表面の少なくとも一方の一端部で、その一端縁にまで続く第１凹部を設け、
前記第１凹部に前記貫通孔を設け、
前記第１凹部の一端部において、前記第１表面又は前記第２表面の横方向における幅を狭める突出部を設けてある蓄熱カプセル。
【請求項２】
前記カプセル容器本体の前記第１表面か前記第２表面の少なくとも一方の面の他端部で、その他端縁にまで続く第２凹部を設け、前記第２凹部に前記貫通孔を設けてある請求項１に記載の蓄熱カプセル。
【請求項３】
前記第１凹部及び前記第２凹部には、その端縁部に他の部分よりも更に厚み方向に凹入した第３凹部を形成してある請求項２に記載の蓄熱カプセル。
【発明の詳細な説明】
【技術分野】
【０００１】
本発明は、ほぼ扁平形状で内部に蓄熱材を収容可能な密閉空間を形成するカプセル容器本体を設け、前記カプセル容器本体の一端部で、表側の第１表面から裏側の第２表面に亘って貫通するフックの係止可能な貫通孔を設けてある蓄熱カプセルに関する。
【背景技術】
【０００２】
従来、前記カプセル容器本体には、ほぼ扁平形状の第１表面から第２表面にかけて貫通する貫通孔を設けたものがあり、その貫通孔は、主に複数枚のカプセル容器本体を束ねるためのボルトを挿通させるために使用されている(文献１参照)。
そして、前記蓄熱カプセルを例えば温室などに設置する場合、フックを前記貫通孔に係止して複数個所に吊下げて簡単に設置することが考えられている。
【先行技術文献】
【特許文献】
【０００３】
【特許文献１】特開２００７−１４７１６５号公報
【発明の概要】
【発明が解決しようとする課題】
【０００４】
上述した従来の蓄熱カプセルを、そのほぼ扁平な面の大きさを変えずに蓄熱材の収容量を増やすためには、カプセル容器本体の厚みを増やす必要がある。
しかし、前記蓄熱カプセルにおいては、前記貫通孔の周部に、全周に亘ってカプセル容器本体の厚み方向に突出する膨出部が形成されているために、その貫通孔に例えば市販のＳ字形等のフックを係止して吊下げようとした場合には、大径のフックを使用しなければならず、コスト高になるのを避けることができなかった
【０００５】
従って、本発明の目的は、上記問題点を解消し、カプセル容器本体の厚みを増やしても、小径の市販のフックが使用出来る物を提供するところにある。
【課題を解決するための手段】
【０００６】
本発明の第１の特徴構成は、ほぼ扁平形状で内部に蓄熱材を収容可能な密閉空間を形成するカプセル容器本体を設け、前記カプセル容器本体の一端部で、表側の第１表面から裏側の第２表面に亘って貫通するフックの係止可能な貫通孔を設けてある蓄熱カプセルであって、前記第１表面か前記第２表面の少なくとも一方の一端部で、その一端縁にまで続く第１凹部を設け、前記第１凹部に前記貫通孔を設け、前記第１凹部の一端部において、前記第１表面又は前記第２表面の横方向における幅を狭める突出部を設けたところにある。
【０００７】
本発明の第１の特徴構成によれば、前記第１表面か前記第２表面の少なくとも一方の一端部で、その一端縁にまで続く第１凹部を設け、前記第１凹部に前記貫通孔を設けたことにより、前記第１表面から前記第２表面にかけての厚みよりも、前記第１凹部から他端面にかけての厚みのほうが小さくなり、前記第１凹部に設けた前記貫通孔に、例えばＳ字形のフックを挿通させて係止する際に、そのフックは安価な小径の曲線状の物でもよく、カプセル容器本体を吊下げて設置する場合のコストを低下させることができる。
その上、前記第１凹部の一端部において、前記第１表面又は前記第２表面の横方向における幅を狭める突出部を設けたことにより、フックを前記貫通孔に係止させてカプセル容器本体を吊下げた状態で、カプセル容器本体が前記第１表面及び前記第２表面に沿った横方向に振れた場合、フックが前記第１凹部の一端部の縁に当たってカプセル容器本体の振れ幅が規制されるのであるが、その規制幅が、前記第１表面又は前記第２表面の横方向における幅を狭める突出部によって、より小さい幅に規制され、例えば温室などに設置されたカプセル容器本体に、温室での作業中に不測に接触してしまっても、カプセル容器本体が大きく振れて作物などを傷つけてしまう虞を、減少できる。
【０００８】
本発明の第２の特徴構成は、前記カプセル容器本体の前記第１表面か前記第２表面の少なくとも一方の面の他端部で、その他端縁にまで続く第２凹部を設け、前記第２凹部に前記貫通孔を設けたところにある。
【０００９】
本発明の第２の特徴構成によれば、本発明の第１の特徴構成による上述の作用効果を叶えることができるのに加えて、カプセル容器本体に設ける第１凹部以外に、他端部に第２凹部を設け、その第２凹部に貫通孔を設けることで、複数のカプセル容器本体を上下に同じ大きさのフックを介して吊下げ設置できる。
従って、温室などの空間における蓄熱利用による経済効果を、より向上させることができる。
【００１０】
本発明の第３の特徴構成は、前記第１凹部及び前記第２凹部には、その端縁部に他の部分よりも更に厚み方向に凹入した第３凹部を形成したところにある。
【００１１】
本発明の第３の特徴構成によれば、第３凹部は、特にＳ字形フックの場合には顕著に、フックを係止した時にフックの曲線部が当たりにくく、よりサイズの小さいフックを使用でき、そのために市販品でより安価なフックを使用できる。
【図面の簡単な説明】
【００１２】
【図１】本発明の蓄熱カプセルを温室に設置した状態の全体斜視図である。
【図２】蓄熱カプセルをフックを使用して吊下げた状態の斜視図である。
【図３】蓄熱カプセルの正面図である。
【図４】蓄熱カプセルの平面図である。
【図５】蓄熱カプセルの一部縦断面図である。
【図６】要部平面図である。
【図７】要部正面図である。
【図８】蓄熱カプセルを左右に振らせた時の正面図である。
【発明を実施するための形態】
【００１３】
以下に本発明の実施の形態を図面に基づいて説明する。
図１に、蓄熱カプセル１の設置例の１つとして、複数枚の蓄熱カプセル１を、上下方向に吊下げて室内に設置して、昼間の余剰熱を蓄えると共に、その蓄えた熱エネルギーを夜間に放出して、室内の温度調整を行うことで省エネルギー化を図ることができる温室１１を構成してある。
【００１４】
前記蓄熱カプセル１は、図２〜図８に示すように、ほぼ扁平形状のカプセル容器本体２と、そのカプセル容器本体２の内部に充填する蓄熱材３とで構成してあり、カプセル容器本体２には、その一端部で、表側の第１表面４から裏側の第２表面５に亘って貫通するフック６の係止可能な貫通孔７を設けてある。
そして、前記貫通孔７は、カプセル容器本体２の第１表面４及び第２表面５の横方向におけるほぼ中央部に設けてある。
従って、カプセル容器本体２の一端部及び他端部の上下夫々の箇所に設けた貫通孔７に、例えば市販のＳ字形フック６を係止して、複数枚のカプセル容器本体２を吊下げて温室１１内で簡単に設置でき、日中に複数枚の蓄熱カプセル１の第１表面４又は第２表面５に太陽光が照射されて太陽熱エネルギーが蓄熱され、夜間には、各蓄熱カプセル１から蓄えられた熱エネルギーを放出して、室内温度の高低差を少なくして、暖房装置などの熱エネルギーの消費を抑え、燃料費の節約と共に、省エネルギーと地球温暖化ガスの排出減少に寄与する蓄熱設備を構成してある。
【００１５】
前記カプセル容器本体２は、例えば、ポリエチレン、ポリプロピレン等の合成樹脂製の略扁平な形状の容器によって、蓄熱材３を密封状態に収容する収容部を形成してあり、その受熱表面を凹凸上に構成して表面積の増加を図り、熱交換効率の向上を実現できるように構成されている。
【００１６】
前記蓄熱材３は、例えば、塩化カルシウム水和物と水との混合物、あるいは、低融点の各種プラスチック、パラフィン類、ワックスなど熱の吸収・放出に伴って相変態する潜熱を利用する材料を用いて構成することができる。例えば、前記蓄熱カプセル１を温室１１などの空間に使用する場合には、太陽熱を蓄熱カプセル１に蓄熱する場合が考えられる。この時、前記潜熱を利用する材料の場合には、室内温度がおよそ５℃〜３５℃の間で変動すると想定して、例えば２３℃前後の温度において相変態可能なものを用いることが一例として挙げられる。
ただし、温室１１内で栽培する植物の適切環境温度は、夫々異なるもので、そのために、それらの栽培植物に応じて相変態する温度の異なる蓄熱材３を収容した蓄熱カプセル１を複数枚吊下げた蓄熱装置を、温室１１内で取り換えできるようにしてあってもよい。
【００１７】
前記カプセル容器本体２には、第１表面４及び第２表面５の一端部で、その一端縁にまで続く第１凹部８を設け、第１凹部８に貫通孔７を設け、第１凹部８の一端部において、第１表面４及び第２表面５の横方向における幅を狭める突出部１０を設けてある(図３、図７)。
従って、図８に示すように、フック６を前記貫通孔７に係止させてカプセル容器本体２を吊下げた状態で、カプセル容器本体２が第１表面４及び第２表面５に沿った横方向に振れた場合、フック６が第１凹部８の一端部の縁に当たってカプセル容器本体２の振れ幅が規制されるのであるが、その規制幅が、第１表面４及び第２表面５の横方向における幅を狭める突出部１０によって、より小さい幅に規制され、温室１１などに設置されたカプセル容器本体２に、温室１１での作業中に不測に接触してしまっても、カプセル容器本体２が大きく振れて作物などを傷つけてしまう虞を、減少できる。
【００１８】
前記カプセル容器本体２の第１表面４及び第２表面５の他端部には、その他端縁にまで続く第２凹部９を設け、第２凹部９に貫通孔７を設けてある。
【００１９】
前記カプセル容器本体２の第１表面４における第１凹部８と第２凹部９とには、その端縁部に他の部分よりも更に厚み方向に凹入した第３凹部１２を形成してあり、第２表面５における第１凹部８と第２凹部９とには、第３凹部１２を設けていない。
前記第３凹部１２を設けることにより、図５に示すように、特にフック６としてＳ字形フックを貫通孔７に係入させた時に、フック６の曲線部が第３凹部１２に凹入して、カプセル容器本体２と接触するのを防止でき、より小さなサイズのフック６を使用できる。
尚、図中の１３は、カプセル容器本体２に蓄熱材３を充填するための充填口で、蓄熱材３の充填後は、熱シールにより閉じてしまう。
つまり、前記第１凹部８及び貫通孔７は、カプセル容器本体２の左右中央部に配設してあり、それらの第１凹部８と貫通孔７の左右に、一対の充填口１３が振り分けられて配設してあるために、一対の充填口１３の一方から蓄熱材３を充填すると、カプセル容器本体２の内部空間において、左右略中央部に位置する貫通孔７、第１凹部８、第３凹部１２が仕切り機能を発揮して、蓄熱材３がカプセル容器本体２における一方の充填口１３のある側の内部空間に優先的に充填されながら、他方の充填口１３のある側の内部空間の空気が、他方の充填口１３からスムーズに排出され、蓄熱材３の充填を短時間でスムーズに行えるようになる。
【００２０】
〔別実施形態〕
以下に他の実施の形態を説明する。
〈１〉  前記貫通孔７は、カプセル容器本体２の少なくとも一端部に設けてあれば、フック６などを係止して縦姿勢で吊下げて設置でき、前記実施形態のように他端部にも貫通孔７を設けてあれば尚良い。
〈２〉  前記貫通孔７及び第１凹部８又は第２凹部９は、カプセル容器本体２の第１表面４及び第２表面５の横方向におけるほぼ中央部に設けてある例を示したが、横方向の複数個所に設けてあっても良い。
〈３〉  カプセル容器本体２は、合成樹脂以外に金属板などで成形された物であっても良い。
〈４〉  前記第１凹部８は、前記第１表面４か前記第２表面５の両面に設けたが、それら両面の内の少なくとも一方の一端部に設けてあればよい。
〈５〉  前記第２凹部９は、カプセル容器本体２の第１表面４か第２表面５の少なくとも一方の面の他端部に設けてあればよく、また第２凹部９に貫通孔７を設けてあればよい。
〈６〉  前記第３凹部１２は、第１表面４における第１凹部８及び第２凹部９に設ける以外に、第２表面５における第１凹部８と第２凹部９にも、設けてあっても良い。
〈７〉  前記突出部１０は、第１凹部８以外に、第２凹部９に設けてあっても良く、この場合は、上下夫々の突出部１０による横振れ規制効果により、蓄熱カプセル１の横振れがより大きく規制されるが、少なくとも，第１凹部８に設けてあれば、その突出部１０による蓄熱カプセル１の横振れの規制効果を発揮できる。  
〈８〉  前記貫通孔７に挿通させて蓄熱カプセル１を吊下げるフック６は、Ｓ字形フック６だけにかかわらず、コの字形フックや、Ｃ字形フックでもよく、その他の形状のフック６でもよい。
〈９〉  蓄熱カプセル１を設置するのは、温室１１以外に、建物の居住空間や、作業空間に設置しても良く、設置方法も、図１に示すように設置する以外に、それらの空間の窓際等の端に、窓面に沿って上下に吊るして並べるようにしてあっても良い。
【００２１】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２２】
２      カプセル容器本体
４      第１表面
５      第２表面
６      フック
７      貫通孔
８      第１凹部
９      第２凹部
１０    突出部
１２    第３凹部
【図１】
2018044706.tif 000003
【図２】
2018044706.tif 000004
【図３】
2018044706.tif 000005
【図４】
2018044706.tif 000006
【図５】
2018044706.tif 000007
【図６】
2018044706.tif 000008
【図７】
2018044706.tif 000009
【図８】
2018044706.tif 000010